(57)【要約】【課題】ブレーカ周囲の雰囲気温度の上昇を抑制し、且つブレーカの操作性を改善することができること。【解決手段】分電盤１は、交流電源供給部３と、直流電源供給部４と、略細長直方体形状に形成されてこれらを内部に収納する筐体２とから構成される。交流電源供給部３は、交流電源に接続された主幹ブレーカ３１と、主幹ブレーカ３１に接続された複数の分岐ブレーカ３２とを備える。直流電源供給部４は、交流電源を直流電源に変換する交流直流変換器４１を備える。筐体２は、長手方向を上下方向に向けて設置される。直流電源供給部４は、交流電源供給部３が収納される位置より上方に設けられている。即ち、交流直流変換器４１から発生する熱が上方へ移動するのに対して、分岐ブレーカ３２は、その熱が移動する方向とは反対側に配設されており、ブレーカ周囲の雰囲気温度の上昇を抑制できる。また、ブレーカの操作性を改善することができる。【選択図】図１
2010178572.tif 000002
【特許請求の範囲】
【請求項１】
交流電源に接続された主幹ブレーカ及び前記主幹ブレーカに接続された複数の分岐ブレ
ーカを備える交流電源供給部と、交流電源を直流電源に変換して出力する交流直流変換器
を備える直流電源供給部と、略細長直方体形状に形成され前記交流電源供給部及び前記直
流電源供給部を内部に収納する筐体とから構成され、
前記筐体は、長手方向を上下方向に向けて設置され、
前記直流電源供給部は、前記交流電源供給部が収納される位置より上方に設けられてい
ることを特徴とする分電盤。
【請求項２】
前記交流電源供給部が収納されている位置より下方には、外部のネットワークと接続す
るための通信機器が設けられていることを特徴とする請求項１記載の分電盤。
【請求項３】
前記直流電源供給部は、前記交流直流変換器を支持する支持体を備え、前記支持体と前
記筐体の内底面との間には配線するための隙間が設けられていることを特徴とする請求項
１または２記載の分電盤。
【請求項４】
前記交流電源供給部は、金属材料により形成され前記主幹ブレーカ及び前記分岐ブレー
カを内部に収納する交流電源ケースを備え、前記直流電源供給部は、金属材料により形成
され前記交流直流変換器を内部に収納する直流電源ケースを備え、前記筐体は、絶縁材料
によって形成されることを特徴とする請求項１〜３の何れか１項に記載の分電盤。
【発明の詳細な説明】
【技術分野】
【０００１】
本発明は、住宅等の屋内配線の分岐に用いる分電盤に関するものである。
【背景技術】
【０００２】
従来より、交流電源に接続された主幹ブレーカ及び主幹ブレーカに接続された複数の分
岐ブレーカを備える交流電源供給部と、略直方体形状に形成され交流電源供給部を内部に
収納する筐体とから構成される種々の分電盤が提供されている。そして、この様な分電盤
は、主幹ブレーカ及び分岐ブレーカを介して交流電源を住宅等の屋内の電源コンセントに
分配し、電源コンセントに接続される電気機器に対して交流電源を供給する。そして、主
幹ブレーカ及び分岐ブレーカは過電流が流れると導通状態から非導通状態へと回路を遮断
する遮断機構を備える。尚、ブレーカの遮断機構は周知の技術であるので、ここでの説明
は省略する。
【０００３】
ところで、近年ではＬＡＮ用通信モジュール、インターネットに接続するためのゲート
ウェイ、ルータ等のインターネット用通信モジュール、ＢＳ・ＣＳ・ＣＡＴＶのブースタ
等、外部のネットワークと接続するための通信機器の設置が増加しつつある。そして、こ
れらの通信機器は、直流電源の供給によって駆動する一方で、他の電気機器の様に交流電
源を直流電源に変換して出力する交流直流変換器（ＡＣ／ＤＣコンバータ）を内蔵してお
らず、電源コンセントに接続する外付けタイプの、所謂、ＡＣアダプタを介して直流電源
を得る。これに対して、従来より交流直流変換器を備える直流電源供給部、及び通信機器
を筐体内部に収納することで、これらの機器が占有するスペースを小さくし、且つ配線作
業を容易に行うことができる分電盤が提供されている（特許文献１参照）。
【先行技術文献】
【特許文献】
【０００４】
【特許文献１】特開２００８−２５３１２０号公報
【発明の概要】
【発明が解決しようとする課題】
【０００５】
しかしながら、特許文献１に記載されている従来の分電盤は、屋内の壁面に設置したと
きに主幹ブレーカ・分岐ブレーカ・交流直流変換器・通信機器の順で左右方向に並ぶよう
して筐体内に配設されていた。そのため、分岐ブレーカ周囲の雰囲気温度が、隣接する交
流直流変換器から発生する熱によって過度に上昇し、分岐ブレーカの遮断特性などに悪影
響を及ぼす恐れがあった。また、従来の分電盤は、屋内の壁面でも天井面に近い場所に取
り付けられているため、ブレーカの操作がし辛いという問題があった。
【０００６】
本発明は上記事由に鑑みて為されたものであり、その目的は、ブレーカ周囲の雰囲気温
度の上昇を抑制し、且つブレーカの操作性を改善することができる分電盤を提供すること
にある。
【課題を解決するための手段】
【０００７】
請求項１の発明は、上記目的を達成するために、交流電源に接続された主幹ブレーカ及
び前記主幹ブレーカに接続された複数の分岐ブレーカを備える交流電源供給部と、交流電
源を直流電源に変換して出力する交流直流変換器を備える直流電源供給部と、略細長直方
体形状に形成され前記交流電源供給部及び前記直流電源供給部を内部に収納する筐体とか
ら構成され、前記筐体は、長手方向を上下方向に向けて設置され、前記直流電源供給部は
、前記交流電源供給部が収納される位置より上方に設けられていることを特徴とする。
【０００８】
この発明によれば、前記筐体は、略細長直方体形状に形成されてその長手方向を上下方
向に向けて設置され、前記直流電源供給部は、前記交流電源供給部が収納される位置より
上方に設けられている。即ち、前記交流直流変換器から発生する熱は、前記筐体内に生じ
る空気の対流によって上方へ移動するのに対して、前記主幹ブレーカ及び前記分岐ブレー
カは、その熱が移動する方向とは反対側に設けられているので、従来の左右方向に隣接し
て設けられるよりもブレーカ周囲の雰囲気温度の上昇を抑制することができる。また、前
記交流電源供給部は、前記直流電源供給部が収納されている位置より下方に設けられてい
るので、前記主幹ブレーカ及び前記分岐ブレーカは、前記筐体内で相対的に低い位置にあ
る。因って、ブレーカの操作性を改善することができる。
【０００９】
請求項２の発明は、請求項１の発明において、前記交流電源供給部が収納されている位
置より下方には、外部のネットワークと接続するための通信機器が設けられていることを
特徴とする。
【００１０】
この発明によれば、熱に弱い前記通信機器は、前記交流電源供給部が収納されている位
置より下方に設けられている。因って、前記通信機器は、前記交流直流変換器より発生す
る熱から最も離れた位置にあり、熱による誤動作を防ぐことができる。
【００１１】
請求項３の発明は、請求項１または２の発明において、前記直流電源供給部は、前記交
流直流変換器を支持する支持体を備え、前記支持体と前記筐体の内底面との間には配線す
るための隙間が設けられていることを特徴とする。
【００１２】
この発明によれば、前記支持体と前記筐体の内底面との間には配線するための隙間が設
けられているので、例えば屋外から引き込まれた交流電源線を、前記筐体の上端部から内
部へ導入させた後、前記隙間を通じて前記主幹ブレーカに接続したり、前記分岐ブレーカ
に接続される電線を、前記隙間を通じて前記筐体の上端部から外部へ導出させて屋内の各
電源コンセントへ接続したりすることができる。即ち、前記筐体内部での前記交流電源供
給部の配線作業が容易となる。
【００１３】
請求項４の発明は、請求項１〜３の何れか１項の発明において、前記交流電源供給部は
、金属材料により形成され前記主幹ブレーカ及び前記分岐ブレーカを内部に収納する交流
電源ケースを備え、前記直流電源供給部は、金属材料により形成され前記交流直流変換器
を内部に収納する直流電源ケースを備え、前記筐体は、絶縁材料によって形成されること
を特徴とする。
【００１４】
この発明によれば、前記交流電源ケースや前記直流電源ケースの内部で生じた火災が外
部へ延焼することを防止できる。また、前記交流電源ケースや前記直流電源ケースの内部
で漏電が生じても、前記筐体の外部への漏電を防止することができる。
【発明の効果】
【００１５】
本発明では、ブレーカ周囲の雰囲気温度の上昇を抑制し、且つブレーカの操作性を改善
することができるという効果がある。
【図面の簡単な説明】
【００１６】
【図１】本発明の実施形態の正面断面図である。
【図２】同上における筐体の前方斜視図である。
【図３】同上における上面図である。
【図４】同上における右側面断面図である。
【発明を実施するための形態】
【００１７】
以下、本発明の実施形態について、図１〜図４を参照して説明する。尚、以下の説明で
は、図２において上下左右前後方向を規定している。本実施形態の分電盤１は、図１に示
すように、合成樹脂材や木材等の絶縁材料によって全体として略細長直方体形状に形成さ
れる筐体２と、その筐体２内部に収納される交流電源供給部３、直流電源供給部４、及び
４個の通信機器５とから構成される。
【００１８】
筐体２は、図２に示すように、細長矩形板状に形成される蓋部２ａと、前面が開口する
細長直方体形状に形成される本体部２ｂとから構成される。蓋部２ａ右周縁部と本体部２
ｂ開口の右周縁部とが蝶番（図示せず）によって固定されることで、蓋部２ａは、本体部
２ｂ開口を塞ぐ閉位置と開口を開放する開位置との間で回動自在に取り付けられている。
また、蓋部２ａ前面の上下方向中心の左端部近傍には、内側へ窪んでなる把持部６が設け
られている。そして、蓋部２ａを閉位置で本体部２ｂに固定させたり、把持部６を前方へ
引っ張れば前記固定が解除されて蓋部２ａを開位置へ回動させたりできるように、蓋部２
ａ背面の左周縁部と本体部２ｂ前面の左周縁部とには係止具（図示せず）が設けられてい
る。尚、この様な係止具は周知の技術のためここでの説明は省略する。本体部２ｂ内底面
の左右両端部には、図１に示すように、細長矩形板状に形成され上端部から下端部に亘っ
て延びる一対の桟部７，７が配設されている。この桟部７，７の前面には、上下方向に並
ぶ多数の孔部７ａが穿設されている。そして、本体部２ｂ上端部には、図２乃至図４に示
すように、矩形状に貫通する配線挿通部２ｃが設けられている。
【００１９】
交流電源供給部３は、図１及び図４に示すように、主幹ブレーカ３１と、主幹ブレーカ
３１に接続された複数の分岐ブレーカ３２と、これらを内部に収納する交流電源ケース３
３と、支持体３４，３４，３４，３４（図４中では右側２個のみ図示）とを備える。
【００２０】
主幹ブレーカ３１及び分岐ブレーカ３２は、一般的な住宅用分電盤のブレーカと同様に
屋外から送電されてくる交流電源を分電するとともに、過電流が流れると導通状態から非
導通状態へと回路を遮断する遮断機構を備えている。主幹ブレーカ３１は、略矩形板状に
形成される主幹用架台（図示せず）の前面に配設され、更にその主幹用架台は、交流電源
ケース３３の内底面に固定されている矩形板状の取付台８の前面上方に載置される。分岐
ブレーカ３２は、略矩形板状に形成される分岐用架台（図示せず）の前面に左列と右列と
の２列に分かれて上下方向に複数並設され、更にその分岐用架台は、取付台８前面の主幹
ブレーカ３１が配置される下方に載置される。そして、主幹ブレーカ３１の出力端子と複
数の分岐ブレーカ３２の入力端子とが、１本の中性極の導電バー（図示せず）及び２本の
電圧極の導電バー（図示せず）を介して電気的に接続されている。これらの導電バーは、
各々略Ｌ字板形状に形成されてなり、互いに接触しないように間隔を開けて配設されてい
る。
【００２１】
交流電源ケース３３は、金属材料によって前面が開口する扁平な矩形箱状に形成されて
なる。交流電源ケース３３内底面の左右両端部には、細長矩形状に貫通する窓孔３３ａ，
３３ａが設けられている。また、交流電源ケース３３内底面の左右方向中央部には、主幹
ブレーカ３１と複数の分岐ブレーカ３２とが載置される取付台８が、４本のビス１５を介
して上下左右方向四隅でビス止め固定されている。交流電源ケース３３上端部には、図３
に示すように、配線を挿通するための挿通孔３３ｂが細長矩形状に貫設されている。
【００２２】
支持体３４，３４，３４，３４は、扁平な角筒形状に形成されてなり、交流電源ケース
３３背面の上下左右方向四隅に一体に設けられている。その四隅の交流電源ケース３３底
部及び支持体３４には、前後方向に連続して貫通するビス孔（図示せず）が穿設されてい
る。
【００２３】
そして、交流電源ケース３３は、図１及び図４に示すように、４箇所の前記ビス孔と桟
部７，７の多数の孔部７ａの中から適宜選択した４箇所の孔部７ａとにビス１６を螺合す
ることで桟部７，７に固定されて、筐体２の上下方向中心部よりやや下方寄りに配置され
る。
【００２４】
直流電源供給部４は、図１及び図４に示すように、交流電源を直流電源に変換して出力
する６個の交流直流変換器４１と、これらを内部に収納する直流電源ケース４３と、支持
体４４，４４，４４，４４（図４中では右側２個のみ図示）とを備える。
【００２５】
６個の交流直流変換器４１は、入力端子より入力されてくる商用交流電圧を、個々に定
められた大きさの直流電圧へ変換するＡＣ／ＤＣコンバータ回路を備え、その変換された
直流電圧を屋内に配電する。即ち、交流直流変換器４１の出力端子は、筐体２内部の４個
の通信機器５や、筐体２外部の配設される、例えば、発光ダイオードを光源とする照明装
置端末や火災報知器のセンサ部等の直流電圧を必要とする直流機器（図示せず）に接続さ
れる。そして、交流直流変換器４１は、各通信機器５や直流機器に対して駆動させるのに
必要な大きさの直流電圧を供給する。また、各交流直流交換器４１内には、電流制限回路
からなる過電流保護装置（図示せず）が設けられており、設定された閾値を超える過電流
から交流直流変換器４１や通信機器５を保護することができる。更に、交流直流変換器４
１は、商用交流電圧の供給が停止したときでも通信機器５への直流電圧の供給を行えるよ
うに、例えば、通常時に商用交流電圧を介して充電される二次電池を備えている。上述の
様な６個の交流直流変換器４１は、矩形板状に形成されてなる取付台９の前面に上下方向
に一対ずつ並んで載置されている。取付台９の上下端部には、内側へ窪んだ凹部９ａ，９
ａが配設され、その矩形板を上下方向に三等分する位置には、細長矩形状に貫通する溝部
９ｂ，９ｂが設けられている。
【００２６】
直流電源ケース４３は、金属材料によって前面が開口する扁平な細長矩形箱状に形成さ
れてなる。直流電源ケース４３内底面には、細長矩形状に貫通する窓孔４３ａ，４３ａ，
４３ａ，４３ａが上下方向に並設されている。そして、直流電源ケース４３内底面には、
６個の交流直流変換器４１が載置される取付台９が、窓孔４３ａ，４３ａ，４３ａ，４３
ａと、凹部９ａ，９ａ及び溝部９ｂ，９ｂとを互いに対向するように合わせて、４本のビ
ス１７を介して上下左右方向四隅でビス止め固定されている。また、直流電源ケース４３
上端部には、図３に示すように、配線を挿通するための挿通孔４３ｂが細長矩形状に貫設
されている。
【００２７】
支持体４４，４４，４４，４４は、細長角筒形状に形成されてなり、その長手方向を前
後方向に向けて直流電源ケース４３背面の上下左右方向四隅に一体に設けられている。そ
の四隅の直流電源ケース４３底部及び支持体４４には、前後方向に連続して貫通するビス
孔（図示せず）が穿設されている。
【００２８】
そして、直流電源ケース４３は、図１及び図４に示すように、４箇所の前記ビス孔と適
宜選択した４箇所の孔部７ａとにビス１８を螺合することで桟部７，７に固定されて、交
流電源ケース３３の収納されている位置より上方に配置される。
【００２９】
但し、支持体４４，４４，４４，４４の前後方向の寸法は、図４に示すように、支持体
３４，３４，３４，３４の前後方向の寸法より長くしている。従って、交流電源ケース３
３と直流電源ケース４３とを桟部７，７に取付けると、直流電源ケース４３底部の方が交
流電源ケース３３底部よりも前方に位置し、後述の隙間Ａを介して筐体２の配線挿通部２
ｃと交流電源ケース３３の挿通孔３３ｂとが対向している。
【００３０】
４個の通信機器５は、従来技術で述べた通り、例えばＬＡＮ用通信モジュール、インタ
ーネットに接続するためのゲートウェイ、ルータ等のインターネット用通信モジュール、
ＢＳ・ＣＳ・ＣＡＴＶのブースタ等の、外部のネットワークと接続するための機器であり
、直流電源の供給により駆動する。この様な４個の通信機器５は、矩形板状に形成された
取付台１０の前面に左右方向に並んで載置される。
【００３１】
そして、取付台１０は、図１及び図４に示すように、その上下左右方向四隅に穿設され
る４箇所のビス孔（図示せず）と適宜選択した４箇所の孔部７ａとにビス１９を螺合する
ことで桟部７，７に固定されて、交流電源ケース３３の収納されている位置より下方に配
置される。
【００３２】
次に、上述の様な分電盤１の筐体２内部の配線作業方法について図４を参照して説明す
る。先ず、分電盤１は住宅等の屋内の壁面や壁面付近の床上にその長手方向を上下方向に
向けて設置される。屋外から引き込まれた交流電源線１１は、分電盤１が設置されている
室内の天井面や壁面より導出されて、筐体２上の配線挿通部２ｃを通じて内部へ導入され
る。このとき、配線挿通部２ｃは、直流電源ケース４３底部と、支持体４４，４４，４４
，４４と、桟部７，７と、筐体２底部とによって囲まれる隙間Ａを介して下方の交流電源
ケース３３の挿通孔３３ｂと対向している。従って、交流電源線１１を配線挿通部２ｃか
らそのまま下ろし、挿通孔３３ｂより交流電源ケース３３内部に導入させて主幹ブレーカ
３１の入力端子に接続することができる。
【００３３】
また、複数の分岐ブレーカ３２の出力端子に接続されている複数本の電線１２（図中で
は１本のみ図示）は、再び挿通孔３３ｂ、隙間Ａ、配線挿通部２ｃを通じて筐体２外部に
引き出されて、屋内の各電源コンセントへ接続される。但し、複数本の電線１２のうちの
いくつかの電線１２ａ（図中では１本のみ図示）は、筐体２外部へ引き出さずに挿通孔３
３ｂ及び隙間Ａを通じて４個の窓孔４３ａのうちの何れかより直流電源ケース４３内部に
導入され、６個の交流直流変換器４１の入力端子へ各々接続される。
【００３４】
６個の交流直流変換器４１の各出力端子に接続される複数本の電線１３（図中では１本
のみ図示）は、窓孔４３ａを通じて直流電源ケース４３外部へ導出されて、隙間Ａと、更
に交流電源ケース３３底部、支持体３４，３４，３４，３４、桟部７，７、筐体２底部に
よって囲まれる隙間Ｂとを通じて通信機器５に接続される。また、通信機器５は、隙間Ａ
，Ｂを介して筐体２の配線挿通部２ｃと対向しており、通信機器５に接続されるＬＡＮケ
ーブルや同軸ケーブルなどのケーブル１４（図中では１本のみ図示）を、隙間Ａ，Ｂを通
じて配線挿通部２ｃから真直ぐ配線させることができる。
【００３５】
一方、６個の交流直流変換器４１の各出力端子に接続される複数本の電線１３のうちの
いくつかの電線１３ａ（図中では１本のみ図示）は、挿通孔４３ｂより直流電源ケース４
３外部へ導出されて、更に配線挿通部２ｃを通じて筐体２の外部へ導出される。そして、
筐体２外部に設置された先述の照明装置端末や火災報知器のセンサ部等の直流機器（図示
せず）へ接続される。
【００３６】
この様に分電盤１の筐体２内には隙間Ａ及び隙間Ｂが設けられ、交流電源供給部３の挿
通孔３３ｂ、直流電源供給部４の挿通孔４３ｂ、及び通信機器５は、隙間Ａ及び隙間Ｂを
介して筐体２の配線挿通部２ｃと対向しているので、筐体２内部での配線作業を容易に行
うことができる。
【００３７】
そして、従来の分電盤は、従来技術で述べた通り、筐体内で発熱量の大きい交流直流変
換器が、交流電源供給部と左右方向に隣接して配置されていた。そのため、交流直流変換
器から発生する熱により分岐ブレーカ周囲の雰囲気温度が上昇し易く、分岐ブレーカの遮
断特性などに悪影響を及ぼす恐れがあった。これに対して本実施形態の直流電源供給部４
は、上述の様に、交流電源供給部３が収納される位置より上方に設けられている。即ち、
交流直流変換器４１から発生する熱は、筐体２内に生じる空気の対流によって上方へ移動
するのに対して、主幹ブレーカ３１及び分岐ブレーカ３２は、その熱が移動する方向とは
反対側に設けられているので、ブレーカ周囲の雰囲気温度の上昇を抑制することができる
。また、熱に弱い通信機器５は、交流電源供給部３が収納されている位置より下方に設け
られている。因って、通信機器５は、交流直流変換器４１より発生する熱から最も離れた
位置にあり、熱による誤動作を防ぐことができる。
【００３８】
また、従来の分電盤は、屋内の壁面でも天井面に近い場所に取り付けられており、ブレ
ーカの操作がし辛いという問題があった。これに対して本実施形態の筐体２は、上述の様
に、略細長直方体形状に形成されてその長手方向を上下方向に向けて設置され、交流電源
供給部３は直流電源供給部４が収納されている位置より下方に設けられているので、主幹
ブレーカ３１及び分岐ブレーカ３２は、筐体２内で相対的に低い位置にある。因って、ブ
レーカの操作性を改善することができる。
【００３９】
更に、本実施形態の交流電源ケース３３及び直流電源ケース４３は金属材料によって形
成され、筐体２は合成樹脂材や木材等の絶縁材料によって形成されている。因って、交流
電源ケース３３や直流電源ケース４３の内部で生じた火災が外部へ延焼することを防止で
きる。また、交流電源ケース３３や直流電源ケース４３の内部で漏電が生じても、筐体２
の外部への漏電を防止することができる。
【符号の説明】
【００４０】
１  分電盤
２  筐体
３  交流電源供給部
４  直流電源供給部
３１  主幹ブレーカ
３２  分岐ブレーカ
４１  交流直流変換器
【図１】
2010178572.tif 000003
【図２】
2010178572.tif 000004
【図３】
2010178572.tif 000005
【図４】
2010178572.tif 000006